(57)【特許請求の範囲】
【請求項１】
通信線の２線間に配置される遠隔切分け器の動作を制御する制御電圧出力回路であって、
前記２線間に正電圧動作の第１のツェナーダイオード、第１のトランジスタ及び第１のダイオードが直列接続され、前記第１のトランジスタの出力は第１の抵抗を介して前記２線の片線に接続され、前記第１の抵抗の一端には第１の出力端子が接続され、
さらに、前記２線間には負電圧動作の第２のツェナーダイオード、第２のトランジスタ及び第２のダイオードが直列接続され、前記第２のトランジスタの出力は第２の抵抗を介して前記２線の他線側に接続され、前記第２の抵抗の一端には第２の電圧出力端子が接続されてなり、
前記第１及び第２の出力端子には、前記２線間に印加される正又は負の同極性の電圧変化に対応した制御電圧が現れることを特徴とする制御電圧出力回路。
【請求項２】
前記第１のトランジスタの両端には、前記２線間に過電圧が印加されたときにオンするとともに、前記第１のトランジスタをオフする第３のトランジスタが接続されており、
前記第３のトランジスタがオン状態のときの前記第１の出力端子には、前記過電圧に対応した制御電圧が現れることを特徴とする請求項１記載の制御電圧出力回路。
【発明の詳細な説明】
【０００１】
【発明の属する技術分野】
本発明は、通信回線の障害診断を目的とした遠隔切分け器の動作制御を行わせる制御電圧出力回路に関する。
【０００２】
【従来の技術】
通信回線の障害診断を目的とした遠隔切分け器の切分け動作は、たとえば図４に示すような制御電圧出力回路によって制御される。
【０００３】
すなわち、回線側端子Ｌ1 〜Ｌ2 に正電圧が印加されると、回線側端子Ｌ1 〜Ｌ2 及び中継端子Ｌ1A〜Ｌ2Aの片線Ｌa と他線Ｌb との間に接続されているツェナーダイオード１１のツェナー動作により、第１のダイオード１０〜ツェナーダイオード１１〜抵抗１２間に電流が流れる。
【０００４】
このとき、抵抗１２の一端側から引出されている電圧出力端子Ｔ4 からの正電圧（駆動制御用正電圧）により、リレー回路（図示省略）が動作し、遠隔切分け器（図示省略）による切分け動作が行われる。
【０００５】
一方、回線側端子Ｌ1 〜Ｌ2 間に負電圧が印加されると、第２のダイオード１３を介しての電圧出力端子Ｔ3 からの負電圧（駆動制御用負電圧）により、リレー回路（図示省略）が復旧し、遠隔切分け器（図示省略）による切戻し動作が行われる。
【０００６】
【発明が解決しようとする課題】
このように、上述した従来の制御電圧出力回路では、回線側端子Ｌ1 〜Ｌ2 に印加される正負の電圧の切替えによって、遠隔切分け器（図示省略）による切分けや切戻し制御が行われるようになっている。
【０００７】
ところが、このような正負の電圧の切替えによる切分けや切戻し制御では、同極性の電圧変化による切分け及び切戻し制御が不可能であるため、制御のバリエーションを増やす上で妨げとなっている。
【０００８】
本発明は、このような事情に対処してなされたもので、同極性の電圧変化に対応する複数の制御電圧を得ることで、制御のバリエーションを増やすことができる制御電圧出力回路を提供することを目的とする。
【０００９】
【課題を解決するための手段】
請求項１記載の発明は、通信線の２線間に配置される遠隔切分け器の動作を制御する制御電圧出力回路であって、前記２線間に正電圧動作の第１のツェナーダイオード、第１のトランジスタ及び第１のダイオードが直列接続され、前記第１のトランジスタの出力は第１の抵抗を介して前記２線の片線に接続され、前記第１の抵抗の一端には第１の出力端子が接続され、さらに、前記２線間には負電圧動作の第２のツェナーダイオード、第２のトランジスタ及び第２のダイオードが直列接続され、前記第２のトランジスタの出力は第２の抵抗を介して前記２線の他線側に接続され、前記第２の抵抗の一端には第２の電圧出力端子が接続されてなり、前記第１及び第２の出力端子には、前記２線間に印加される正又は負の同極性の電圧変化に対応した制御電圧が現れることを特徴とする。
【００１０】
この発明では、２線間に第１及び第２のツェナーダイオードの電圧値を下回る正又は負の電圧が印加されると、第１及び第２の出力端子にはその印加された正又は負の印加電圧に対応する制御電圧が現れ、この制御電圧によってたとえば遠隔切分け器の切戻し制御が行われる。
【００１１】
２線間に第１及び第２のツェナーダイオードの電圧値を上回る正又は負の電圧が印加されると、第１及び第２の出力端子にはその印加された正又は負の印加電圧に対応する制御電圧が現れ、この制御電圧によってたとえば遠隔切分け器の切分け制御が行われる。
【００１２】
請求項２記載の発明は、前記第１のトランジスタの両端には、前記２線間に過電圧が印加されたときにオンするとともに、前記第１のトランジスタをオフする第３のトランジスタが接続されており、前記第３のトランジスタがオン状態のときの前記第１の出力端子には、前記過電圧に対応した制御電圧が現れることを特徴とする。
【００１３】
この発明では、２線間に過電圧が印加されると、第１の出力端子には印加された過電圧に対応する制御電圧が現れ、この制御電圧によってたとえば遠隔切分け器側の過電圧保護回路の保護動作が行われる。
【００１４】
【発明の実施の形態】
以下、本発明の実施の形態の詳細を図面に基づいて詳細に説明する。
図１は、本発明の電圧検出回路の一実施の形態を示すものである。なお、以下に説明する図において、図４と共通する部分には同一符号を付すものとする。
【００１５】
同図に示すように、回線側端子Ｌ1 〜Ｌ2 及び中継端子Ｌ1A〜Ｌ2Aの片線Ｌa と他線Ｌb との間には、第１のツェナーダイオード１〜第１のトランジスタ２〜第１のダイオード３が直列接続されている。また、第１のトランジスタ２の両端には、第３のトランジスタ７が接続されている。
【００１６】
第３のトランジスタ７の出力は第１のトランジスタ２に取込まれ、さらに第１のトランジスタ２の出力は第１の抵抗８を介して片線Ｌa に接続されている。第１の抵抗８の一端側からは電圧出力端子Ｔ1 が引出されている。
【００１７】
ここで、第１のツェナーダイオード１は、後述する正電圧Ｖ2 によってツェナー動作を行うものであり、そのツェナー動作により第１のツェナーダイオード１〜第１のトランジスタ２〜第１のダイオード３間に電流が流れることにより、第１のトランジスタ２がオンし、電圧出力端子Ｔ1 に零電圧が現れる。このとき、第３のトランジスタ７はオフ状態にある。
そして、この零電圧（制御電圧）は、遠隔切分け器（図示省略）に切分け動作を行わせるための制御電圧とされている。
【００１８】
さらに、第１のツェナーダイオード１は、後述する正電圧（過電圧）ＶD によってもツェナー動作を行うが、この場合、第３のトランジスタ７がＯＮとなり、第１のツェナーダイオード１〜第３のトランジスタ７〜第１のダイオード３間に電流が流れる。
【００１９】
このとき、第１のトランジスタ２がＯＦＦとなることで、第１のトランジスタ２からの出力は行われず、電圧出力端子Ｔ1 に回線側端子Ｌ1 〜Ｌ2 間の電圧が現れる。そして、この電圧は、遠隔切分け器（図示省略）側に設けられている図示しない過電圧保護回路に保護動作を行わせるための制御電圧出力回路電圧とされている。
【００２０】
また、片線Ｌa と他線Ｌb との間には、第２のツェナーダイオード４〜第２のトランジスタ５〜第２のダイオード６が接続されている。第２のトランジスタ５の出力は、第２の抵抗９を介して他線Ｌb に接続されている。第２の抵抗９の一端側からは電圧出力端子Ｔ2 が引出されている。
【００２１】
ここで、第２のツェナーダイオード４は、後述する負電圧−Ｖ2 によってツェナー動作を行うものであり、そのツェナー動作により第２のトランジスタ５がＯＮとなることにより、第２のツェナーダイオード４〜第２のトランジスタ５〜第２のダイオード６間に電流が流れる。
【００２２】
このとき、第２のトランジスタ５の出力が電圧出力端子Ｔ2 に負電圧−Ｖ2 となって現れる。そして、この電圧は、遠隔切分け器（図示省略）に切分け動作を行わせるための制御電圧とされている。
【００２３】
続いて、以上のような構成の制御電圧出力回路の動作を、図２及び図３を用いて説明する。
【００２４】
まず、図２に示すように、ｔ1 のタイミングで回線側端子Ｌ1 〜Ｌ2 間に第１のツェナーダイオード１の電圧値を下回る正電圧Ｖ1 が印加されと、第１のツェナーダイオード１に電流が流れないため、第１のトランジスタ２はＯＦＦの状態を維持する。これにより、電圧出力端子Ｔ1 には回線側端子Ｌ1 〜Ｌ2 間の電圧Ｖ1 が現れる。そして、この電圧（制御電圧）Ｖ1 により、遠隔切分け器（図示省略）が切戻されるように制御される。
【００２５】
次いで、ｔ2 のタイミングで回線側端子Ｌ1 〜Ｌ2 間に第１のツェナーダイオード１の電圧値を上回る正電圧Ｖ2 が印加されると、第１のツェナーダイオード１に電流が流れることにより、第１のトランジスタ２がＯＮとなり、これにより、電圧出力端子Ｔ1 に零電圧が現れ、この零電圧（制御電圧）によって遠隔切分け器（図示省略）の切分け動作が行われる。
【００２６】
さらに、ｔ4 のタイミングで回線側端子Ｌ1 〜Ｌ2 間に正電圧ＶD （過電圧）が印加されると、第１のツェナーダイオード１に電流が流れ、この電流によって第３のトランジスタ７がＯＮする。このとき、第３のトランジスタ７のＯＮ動作によって第１のトランジスタ２はＯＦＦとなる。
【００２７】
これにより、電圧出力端子Ｔ1 には回線側端子Ｌ1 〜Ｌ2 間の電圧ＶD が現れ、この電圧によって遠隔切分け器（図示省略）側の図示しない過電圧保護回路の保護動作が行われる。
【００２８】
これに対し、図３に示すように、ｔ5 のタイミングで回線側端子Ｌ1 〜Ｌ2 間に第２のツェナーダイオード４の電圧値を下回る負電圧−Ｖ1 が印加されると、第２のツェナーダイオード４には電流が流れないため、第２のトランジスタ５はＯＦＦの状態を維持する。このとき、電圧出力端子Ｔ2 には零の電圧が現れ、この電圧によって遠隔切分け器（図示省略）の切戻し動作が行われる。
【００２９】
次いで、ｔ6 のタイミングで回線側端子Ｌ1 〜Ｌ2 間に第２のツェナーダイオード４の電圧値を超える負電圧−Ｖ2 が印加されると、第２のツェナーダイオード４に電流が流れることにより、第２のトランジスタ５がＯＮとなる。
【００３０】
これにより、電圧出力端子Ｔ2 には負電圧−Ｖ2 が現れ、この電圧（制御電圧）によって遠隔切分け器（図示省略）の切分け動作が行われる。
【００３１】
このように、本実施の形態では、回線側端子Ｌ1 〜Ｌ2 間に第１及び第２のツェナーダイオード１，４の電圧値を下回る正又は負の電圧Ｖ1 ，−Ｖ1 が印加されると、第１及び第２の電圧出力端子Ｔ1 ，Ｔ2 にはその印加された正又は負の印加電圧に対応する制御電圧が現れ、この制御電圧によってたとえば遠隔切分け器の切戻し制御が行われる。
【００３２】
また、回線側端子Ｌ1 〜Ｌ2 間に第１及び第２のツェナーダイオード１，４の電圧値を上回る正又は負の電圧Ｖ2 ，−Ｖ2 がが印加されると、第１及び第２の電圧出力端子Ｔ1 ，Ｔ2 にはその印加された正又は負の印加電圧に対応する制御電圧が現れ、この制御電圧によってたとえば遠隔切分け器の切分け制御が行われる。
【００３３】
さらに、回線側端子Ｌ1 〜Ｌ2 間に過電圧ＶD が印加されると、第１の電圧出力端子Ｔ1 には印加された過電圧に対応する制御電圧が現れ、この制御電圧によってたとえば遠隔切分け器側の過電圧保護回路の保護動作が行われる。
【００３４】
したがって、同極性の電圧変化に対応する複数の制御電圧を得ることができるため、制御のバリエーションが増やされる。
【００３５】
【発明の効果】
以上説明したように、本発明の制御電圧出力回路によれば、２線間に第１及び第２のツェナーダイオードの電圧値を下回る正又は負の電圧が印加されると、第１及び第２の出力端子にはその印加された正又は負の印加電圧に対応する制御電圧が現れ、２線間に第１及び第２のツェナーダイオードの電圧値を上回る正又は負の電圧が印加されると、第１及び第２の出力端子にはその印加された正又は負の印加電圧に対応する制御電圧が現れ、さらに２線間に過電圧が印加されると、第１の出力端子には印加された過電圧に対応する制御電圧が現れる。
【００３６】
したがって、同極性の電圧変化に対応する複数の制御電圧を得ることができるため、制御のバリエーションを増やすことができる。
【図面の簡単な説明】
【図１】本発明の制御電圧出力回路の一実施の形態を示すブロック図である。
【図２】図１の制御電圧出力回路の動作を示すためのタイムチャートである。
【図３】図１の制御電圧出力回路の動作を示すためのタイムチャートである。
【図４】従来の制御電圧出力回路の一例を示すブロック図である。
【符号の説明】
１  第１のツェナーダイオード
２  第１のトランジスタ
３  第１のダイオード
４  第２のツェナーダイオード
５  第２のトランジスタ
６  第２のダイオード
７  第３のトランジスタ
８  第１の抵抗
９  第２の抵抗
Ｌ1 〜Ｌ2   回線側端子
Ｌ1A〜Ｌ2A  中継端子
Ｌa   片線
Ｌb   他線
Ｔ1 ，Ｔ2   電圧出力端子
【図１】
0003702065.tif 000002
【図２】
0003702065.tif 000003
【図３】
0003702065.tif 000004
【図４】
0003702065.tif 000005